(57)【要約】【課題】逆浸透膜モジュールの洗浄時においても残りの逆浸透膜モジュールを使用した逆浸透処理により造水量を高く保てる逆浸透処理装置及び逆浸透処理方法を提供する。【解決手段】逆浸透処理装置１は、逆浸透膜モジュールが配置されてなる膜ユニットを備え、膜ユニットは、逆浸透膜モジュールが配置された複数のバンク（１０，２０）を直列に接続してなり、複数のバンクのうち、１以上のバンク（１０）は、被処理水配管バルブＶ１１と、濃縮水配管バルブＶ１２とを有し、バンクに供給される被処理水をバンクを迂回して排水可能な迂回管Ｌ１６と、バンクに配置された逆浸透膜モジュールに対して薬洗水を供給可能な薬洗用配管（Ｌ５１，Ｌ５２）が接続している。逆浸透処理方法は、被処理水配管バルブＶ１１と濃縮水配管バルブＶ１２とを有するバンク（１０）を間欠的に洗浄しながら、残りのバンク（２０）で逆浸透処理を続けるものである。【選択図】図１
2018171563.tif 000002
【特許請求の範囲】
【請求項１】
被処理水を逆浸透処理する逆浸透膜モジュールが１個又は複数配置されてなる膜ユニットを備え、
前記膜ユニットは、前記逆浸透膜モジュールが１個又は複数並列に配置された複数のバンクを直列に接続してなり、
複数の前記バンクのうち、１以上の前記バンクは、
前記被処理水を前記バンクに供給するための被処理水配管と、
前記バンクによって分離された濃縮水を前記バンクから排出するための濃縮水配管と、
前記被処理水配管を閉止可能な被処理水配管バルブと、
前記濃縮水配管を閉止可能な濃縮水配管バルブと、を有し、
前記被処理水配管バルブの上流側と前記濃縮水配管バルブの下流側との間には、前記バンクに供給される前記被処理水を前記バンクを迂回して排水可能な迂回管が接続しており、
前記被処理水配管バルブの下流側と前記濃縮水配管バルブの上流側との間には、前記バンクに配置された前記逆浸透膜モジュールに対して前記逆浸透膜モジュールを洗浄する薬洗水を供給可能な薬洗用配管が接続している逆浸透処理装置。
【請求項２】
請求項１に記載の逆浸透処理装置であって、
前記膜ユニットが、被処理水を逆浸透処理する逆浸透膜モジュールが１個又は複数配置されてなる第１バンクと、前記第１バンクによって分離された濃縮水を逆浸透処理する逆浸透膜モジュールが１個又は複数配置されてなる第２バンクと、からなり、
前記第１バンク及び前記第２バンクのうち、前記第１バンクが、前記被処理水配管と、前記濃縮水配管と、前記被処理水配管バルブと、前記濃縮水配管バルブと、を有し、
前記迂回管は、前記第１バンクに供給される前記被処理水を前記第１バンクを迂回して前記第２バンクに供給可能であり、
前記薬洗用配管は、前記第１バンクに配置された前記逆浸透膜モジュールに対して前記薬洗水を供給可能である逆浸透処理装置。
【請求項３】
請求項１に記載の逆浸透処理装置であって、
前記膜ユニットが、被処理水を逆浸透処理する逆浸透膜モジュールが１個又は複数配置されてなる第１バンクと、前記第１バンクによって分離された濃縮水を逆浸透処理する逆浸透膜モジュールが１個又は複数配置されてなる第２バンクと、からなり、
前記第１バンク及び前記第２バンクのうち、前記第２バンクが、前記被処理水配管と、前記濃縮水配管と、前記被処理水配管バルブと、前記濃縮水配管バルブと、を有し、
前記迂回管は、前記第２バンクに供給される前記被処理水を前記第２バンクを迂回して排水可能であり、
前記薬洗用配管は、前記第２バンクに配置された前記逆浸透膜モジュールに対して前記薬洗水を供給可能である逆浸透処理装置。
【請求項４】
請求項１に記載の逆浸透処理装置であって、
前記膜ユニットが、被処理水を逆浸透処理する逆浸透膜モジュールが１個又は複数配置されてなる第１バンクと、前記第１バンクによって分離された濃縮水を逆浸透処理する逆浸透膜モジュールが１個又は複数配置されてなる第２バンクと、からなり、
前記第１バンク及び前記第２バンクは、前記被処理水配管と、前記濃縮水配管と、前記被処理水配管バルブと、前記濃縮水配管バルブと、を有し、
前記迂回管は、前記第１バンクに供給される前記被処理水を前記第１バンクを迂回して前記第２バンクに供給可能な第１迂回管と、前記第２バンクに供給される前記濃縮水を前記第２バンクを迂回して排水可能な第２迂回管と、からなり、
前記薬洗用配管は、前記第１バンクに配置された前記逆浸透膜モジュールに対して前記薬洗水を供給可能な第１薬洗用配管と、前記第２バンクに配置された前記逆浸透膜モジュールに対して前記薬洗水を供給可能な第２薬洗用配管と、からなり、
前記被処理水を逆浸透処理する間に、前記第１バンク及び前記第２バンクのうち、一方のバンクに供給される前記被処理水を前記バンクを迂回させて排水しながら、残りのバンクを使用して逆浸透処理し、
前記第１バンク及び前記第２バンクのうち、残りのバンクを使用して前記被処理水を逆浸透処理する間に、前記被処理水を迂回させた前記バンクに前記薬洗水を供給して前記逆浸透膜モジュールを洗浄する逆浸透処理装置。
【請求項５】
請求項２から請求項４のいずれか一項に記載の逆浸透処理装置が複数並列に接続された逆浸透処理システムであって、
被処理水を供給する第１ポンプと、
前記供給ポンプの下流に配置され、前記被処理水を昇圧して逆浸透膜に逆浸透させる第２ポンプと、
前記第２バンクによって分離された濃縮水の残圧を利用して前記第１バンクに供給される前記被処理水を昇圧する動力回収装置と、
前記動力回収装置によって昇圧された前記被処理水を加圧する第３ポンプと、を更に備え、
前記第２ポンプ、前記動力回収装置、及び、前記第３ポンプが、複数並列に接続された前記逆浸透処理装置毎に備えられた逆浸透処理システム。
【請求項６】
請求項２から請求項４のいずれか一項に記載の逆浸透処理装置が複数並列に接続された逆浸透処理システムであって、
被処理水を供給する第１ポンプと、
前記供給ポンプの下流に配置され、前記被処理水を昇圧して逆浸透膜に逆浸透させる第２ポンプと、
前記第２バンクによって分離された濃縮水の残圧を利用して前記第１バンクに供給される前記被処理水を昇圧する動力回収装置と、
前記動力回収装置によって昇圧された前記被処理水を加圧する第３ポンプと、を更に備え、
前記動力回収装置、及び、前記第３ポンプが、複数並列に接続された前記逆浸透処理装置毎に備えられ、
前記第２ポンプが、複数並列に接続された前記逆浸透処理装置のそれぞれと接続して備えられた逆浸透処理システム。
【請求項７】
請求項２から請求項４のいずれか一項に記載の逆浸透処理装置が複数並列に接続された逆浸透処理システムであって、
被処理水を供給する第１ポンプと、
前記供給ポンプの下流に配置され、前記被処理水を昇圧して逆浸透膜に逆浸透させる第２ポンプと、
前記第２バンクによって分離された濃縮水の残圧を利用して前記第１バンクに供給される前記被処理水を昇圧する動力回収装置と、
前記動力回収装置によって昇圧された前記被処理水を加圧する第３ポンプと、を更に備え、
前記第２ポンプ、及び、前記第３ポンプが、複数並列に接続された前記逆浸透処理装置毎に備えられ、
前記動力回収装置が、複数並列に接続された前記逆浸透処理装置のそれぞれと接続して備えられた逆浸透処理システム。
【請求項８】
請求項２から請求項４のいずれか一項に記載の逆浸透処理装置が複数並列に接続された逆浸透処理システムであって、
被処理水を供給する第１ポンプと、
前記供給ポンプの下流に配置され、前記被処理水を昇圧して逆浸透膜に逆浸透させる第２ポンプと、
前記第２バンクによって分離された濃縮水の残圧を利用して前記第１バンクに供給される前記被処理水を昇圧する動力回収装置と、
前記動力回収装置によって昇圧された前記被処理水を加圧する第３ポンプと、を更に備え、
前記第２ポンプ、及び、前記動力回収装置が、複数並列に接続された前記逆浸透処理装置毎に備えられ、
前記動力回収装置が、複数並列に接続された前記逆浸透処理装置のそれぞれと接続して備えられた逆浸透処理システム。
【請求項９】
被処理水を逆浸透処理する逆浸透膜モジュールが１個又は複数配置されてなる膜ユニットを備え、
前記膜ユニットは、前記逆浸透膜モジュールが１個又は複数並列に配置された複数のバンクを直列に接続してなる逆浸透処理装置において、
複数の前記バンクを使用して前記被処理水を逆浸透処理し、
前記被処理水を逆浸透処理する間に、複数の前記バンクのうち、一部の前記バンクに供給される前記被処理水を前記バンクを迂回させて排水しながら、複数の前記バンクのうち、残部の前記バンクを使用して前記被処理水を逆浸透処理し、
複数の前記バンクのうち、残部の前記バンクを使用して前記被処理水を逆浸透処理する間に、前記バンクに薬洗水を供給して前記逆浸透膜モジュールを洗浄する逆浸透処理方法。
【発明の詳細な説明】
【技術分野】
【０００１】
本発明は、海水等の鹹水を逆浸透により脱塩する逆浸透処理装置及びそれを用いた逆浸透処理方法に関する。
【背景技術】
【０００２】
鹹水を逆浸透により脱塩する逆浸透処理装置が、海水の淡水化、排水の再利用、純水の製造等の種々の分野で用いられている。逆浸透処理装置としては、円筒型の逆浸透膜モジュールを備える形態が代表的である。この種の逆浸透膜モジュールは、円筒形状の圧力容器の内部に、逆浸透膜を支持した複数の逆浸透膜エレメントを備えている。
【０００３】
円筒型の逆浸透膜モジュールが備える逆浸透膜エレメントは、集水配管の周囲に逆浸透膜がスパイラル状に巻回された構造である。複数の逆浸透膜エレメントは、通常、圧力容器内に収容されて、直列に配置された状態で用いられる。このような逆浸透膜モジュールは、１個又は配管を介して複数並列に接続されることによりバンクを構成する。更に、逆浸透膜モジュールのバンクは、１個又は配管を介して複数直列に接続されることで膜ユニットを形成する。通常、逆浸透処理設備には、複数の膜ユニットが備えられている。
【０００４】
逆浸透膜モジュールは、圧力容器に流入する被処理水をクロスフロー濾過方式により逆浸透処理し、イオン類が低減された透過水と、イオン類が濃縮された濃縮水とに分離する。圧力容器の一端側から被処理水が流入すると、逆浸透により逆浸透膜の一次側に濃縮した濃縮水は、圧力容器の他端側から排出される。一方、逆浸透膜の二次側に透過した透過水は、集水配管の内部に集水されて逆浸透膜モジュールの外に取り出される。
【０００５】
逆浸透膜モジュールが備える逆浸透膜は、被処理水に含まれている有機物や、膜面上で増殖する微生物や、スケールとして析出する無機物等によって目詰まりを生じることがある。逆浸透膜の細孔が閉塞すると、造水量や除去率が低下したり、重度の場合、破過に至ったりするので、定期的な洗浄や交換が必要である。特に、海水や下水処理水をはじめ、微生物が繁殖し易い被処理水を逆浸透処理するにあたっては、バイオファウリングが大きな問題となり、安定的な逆浸透処理の継続を困難にしている。
【０００６】
逆浸透処理装置としては、逆浸透膜モジュールのバンクを直列に接続し、前段側のバンクが被処理水を逆浸透処理して分離した濃縮水を、後段側のバンクが更に逆浸透処理する多段式の形態がある。例えば、特許文献１には、多段式の逆浸透処理装置において、被処理水を一次処理する第１の圧力容器と、一次処理によって処理された被処理水を二次処理する第２の圧力容器とを、個々の洗浄液貯槽に貯留される洗浄液で洗浄する技術が記載されている。
【先行技術文献】
【特許文献】
【０００７】
【特許文献１】特開２０１３−１２６６３５号公報
【発明の概要】
【発明が解決しようとする課題】
【０００８】
逆浸透膜のファウリングは、被処理水を薬品等で前処理したとしても完全に防止することが難しく、逆浸透処理を長期にわたって続ける結果、逆浸透膜の膜面等に微生物膜やスケールが堆積する。そのため、逆浸透膜モジュールは、逆浸透膜モジュールの稼働を停止し、逆浸透膜モジュールを造水用のラインから切り離した上で、定期的に洗浄することを要している。定期的な洗浄を実施する際には、造水用のラインから一旦切り離した逆浸透膜モジュールに、洗浄のための薬洗水を通水し、通水した薬洗水を造水用とは別のラインを通じて排水するのが一般的である。また、殺菌剤等の薬剤を被処理水に添加する際には、処理水の用途により、薬剤添加中および添加後、薬剤の残存の可能性のある期間の透過水を排水し、生産水として用いない対応を採る。しかし、このような方法では、洗浄する間に当該膜ユニットでは逆浸透処理による造水を行うことができず、稼働率が低下し、造水量が少なくなるという問題がある。
【０００９】
特に、特許文献１に記載されるような多段式の逆浸透処理装置においては、海水や下水処理水をはじめ、微生物が繁殖し易い被処理水を逆浸透処理する場合、前段側の逆浸透膜モジュールほど微生物汚染が顕著になる。そのため、逆浸透膜モジュールの洗浄は、前段側の膜の汚染により、システム全体の洗浄基準値に達することで行われることが多い。しかし、前段側の逆浸透膜モジュールを洗浄するとき、後段側の逆浸透膜モジュールを通常時のように稼働させることはできないため、複数の膜ユニットのうち、一部の膜ユニットの運転を停止して洗浄し、残部を通常よりも多い造水量で稼働させる。或いは、洗浄中にのみ使用する予備の逆浸透膜モジュールの系列を予め設けて造水量を補ったり、バッファタンクを予め設けておき、洗浄の前後、通常よりも多い造水量で稼働させて洗浄時に不足する水量を補ったりする等の対応を要している。
【００１０】
しかしながら、逆浸透膜モジュールを通常よりも多い造水量で稼働させて造水量を補う対応では、高い運転圧力を維持するために、ポンプ等の動力コストが高くなるし、逆浸透処理設備の設計の段階で、適切なポンプの選定等を行う必要があるため、設備コストも高くなる。また、定期的な洗浄を前提として、予備の逆浸透膜モジュールの系列を備える対応では、設備コストが高くなる。また、バッファタンクを予め設ける対応では、バッファタンクの容量に応じて占有面積が増えるため、設備コストの増大に繋がるという問題がある。このように、逆浸透処理設備について大きな設計変更を伴う対応では、洗浄頻度が想定よりも少なくて済んだ場合や、季節変動等により微生物が繁殖し難い水質に変化した場合等に、結果としてコスト効率が悪化する。
【００１１】
そこで、本発明は、逆浸透膜モジュールの洗浄時においても残りの逆浸透膜モジュールを使用した逆浸透処理により造水量を高く保てる逆浸透処理装置及び逆浸透処理方法を提供することを目的とする。
【課題を解決するための手段】
【００１２】
前記課題を解決するために本発明に係る逆浸透処理装置は、被処理水を逆浸透処理する逆浸透膜モジュールが１個又は複数配置されてなる膜ユニットを備え、前記膜ユニットは、前記逆浸透膜モジュールが１個又は複数並列に配置された複数のバンクを直列に接続してなり、複数の前記バンクのうち、１以上の前記バンクは、前記被処理水を前記バンクに供給するための被処理水配管と、前記バンクによって分離された濃縮水を前記バンクから排出するための濃縮水配管と、前記被処理水配管を閉止可能な被処理水配管バルブと、前記濃縮水配管を閉止可能な濃縮水配管バルブと、を有し、前記被処理水配管バルブの上流側と前記濃縮水配管バルブの下流側との間には、前記バンクに供給される前記被処理水を前記バンクを迂回して排水可能な迂回管が接続しており、前記被処理水配管バルブの下流側と前記濃縮水配管バルブの上流側との間には、前記バンクに配置された前記逆浸透膜モジュールに対して前記逆浸透膜モジュールを洗浄する薬洗水を供給可能な薬洗用配管が接続していることを特徴とする。
【００１３】
また、本発明に係る逆浸透処理方法は、被処理水を逆浸透処理する逆浸透膜モジュールが１個又は複数配置されてなる膜ユニットを備え、前記膜ユニットは、前記逆浸透膜モジュールが１個又は複数並列に配置された複数のバンクを直列に接続してなり、複数の前記バンクのうち、１以上の前記バンクは、前記被処理水を前記バンクに供給するための被処理水配管と、前記バンクによって分離された濃縮水を前記バンクから排出するための濃縮水配管と、前記被処理水配管を閉止可能な被処理水配管バルブと、前記濃縮水配管を閉止可能な濃縮水配管バルブと、を有し、前記被処理水配管バルブの上流側と前記濃縮水配管バルブの下流側との間には、前記バンクに供給される前記被処理水を前記バンクを迂回して排水可能な迂回管が接続しており、前記被処理水配管バルブの下流側と前記濃縮水配管バルブの上流側との間には、前記バンクに配置された前記逆浸透膜モジュールに対して前記逆浸透膜モジュールを洗浄する薬洗水を供給可能な薬洗用配管が接続している逆浸透処理装置において、複数の前記バンクを使用して前記被処理水を逆浸透処理し、前記被処理水を逆浸透処理する間に、複数の前記バンクのうち、一部の前記バンクが有する前記被処理水配管バルブと前記濃縮水配管バルブとを閉止し、前記バンクに供給される前記被処理水を前記バンクを迂回させて排水しながら、複数の前記バンクのうち、残部の前記バンクを使用して前記被処理水を逆浸透処理し、複数の前記バンクのうち、残部の前記バンクを使用して前記被処理水を逆浸透処理する間に、前記バンクに前記薬洗水を供給して前記逆浸透膜モジュールを洗浄し、複数の前記バンクのうち、前記被処理水配管バルブと前記濃縮水配管バルブとを有する前記バンクを間欠的に洗浄しながら逆浸透処理を続けることを特徴とする。
【発明の効果】
【００１４】
本発明によれば、逆浸透膜モジュールの洗浄時においても残りの逆浸透膜モジュールを使用した逆浸透処理により造水量を高く保てる逆浸透処理装置及び逆浸透処理方法を提供することができる。
【図面の簡単な説明】
【００１５】
【図１】本発明の一実施形態に係る逆浸透処理装置の構成例を示す図である。
【図２】逆浸透膜モジュールの構造の一例を示す断面図である。
【図３】逆浸透膜エレメントの構造の一例を示す斜視図である。
【図４Ａ】薬洗装置の構成の一例を示す図である。
【図４Ｂ】薬洗装置の構成の一例を示す図である。
【図５】本発明の一実施形態に係る逆浸透処理装置の構成例を示す図である。
【図６】本発明の一実施形態に係る逆浸透処理装置の構成例を示す図である。
【図７】本発明の第１変形例に係る逆浸透処理装置の構成を示す図である。
【図８】本発明の第２変形例に係る逆浸透処理装置の構成を示す図である。
【図９】本発明の第３変形例に係る逆浸透処理装置の構成を示す図である。
【図１０】本発明の第４変形例に係る逆浸透処理装置の構成を示す図である。
【発明を実施するための形態】
【００１６】
以下、本発明の一実施形態に係る逆浸透処理装置及び逆浸透処理方法について説明する。なお、以下の各図において共通する構成については同一の符号を付し、重複した説明を省略する。
【００１７】
図１は、本発明の一実施形態に係る逆浸透処理装置の構成例を示す図である。
図１に示すように、本実施形態に係る逆浸透処理装置１は、主に、複数のバンク（１０，２０）と、被処理水配管（Ｌ１１，Ｌ２１）と、濃縮水配管（Ｌ１２，Ｌ２２）と、透過水配管（Ｌ１３，Ｌ２３）と、被処理水配管バルブ（Ｖ１１）と、濃縮水配管バルブ（Ｖ１２）と、透過水配管バルブ（Ｖ１４）と、迂回管（Ｌ１６）と、薬洗用配管（Ｌ５１，Ｌ５２）と、を備えている。
【００１８】
バンク（１０，２０）は、逆浸透膜モジュールＭによって構成されており、被処理水を逆浸透処理する膜ユニットを形成している。複数のバンク（１０，２０）は、バンク同士が配管を介して直列に接続されて構成されている。なお、図１においては、複数のバンク（１０，２０）が、第１バンク１０と第２バンク２０の２段で構成された例を示している。
【００１９】
逆浸透処理装置１は、被処理水を逆浸透により脱塩して、イオンや塩類の濃度が低減された脱塩水を造水する。被処理水としては、例えば、海水、随伴水、汽水、化石水、地下水、地表水等の鹹水が装置に供給される。逆浸透処理装置１は、例えば、海水淡水化、排水再利用、純水製造等の用途に使用することが可能である。
【００２０】
本実施形態に係る逆浸透処理装置１は、直列に接続して備えられる複数のバンク（１０，２０）のうち、一部のバンク（１０，２０）に薬洗水を通水して洗浄を行うとき、残部のバンク（１０，２０）を使用して逆浸透処理を継続可能な点に特徴を有している。ここで、バンク（１０，２０）を構成する逆浸透膜モジュールＭの構造について説明する。
【００２１】
図２は、逆浸透膜モジュールの構造の一例を示す断面図である。
図２に示すように、逆浸透膜モジュールＭは、圧力容器５と、逆浸透膜エレメント６と、を備えて構成される。圧力容器５は、略円筒形状を呈する容器であり、一方の端部に導入ポート５ａ、他方の端部に導出ポート５ｂを有している。圧力容器５の内部には、１個以上の逆浸透膜エレメント６が収容されている。逆浸透膜エレメント６は、逆浸透膜７を備えており、圧力容器５の内部で互いに直列に配置されている。なお、図２においては、計５個の逆浸透膜エレメント６が配置されているが、逆浸透膜エレメント６の個数は、逆浸透膜モジュールの仕様や逆浸透処理の濃縮率等に応じて適宜の数とされる。
【００２２】
図３は、逆浸透膜エレメントの構造の一例を示す斜視図である。
図３に示すように、逆浸透膜エレメント６は、逆浸透膜７が重ねられた膜積層体６ａが集水配管８の周囲に配置されて構成される。膜積層体６ａは、袋体状の複数の逆浸透膜７とメッシュ状のスペーサ９とが、集水配管８の周面に放射状に接合され、集水配管８の周囲にスパイラル状に巻回されることにより形成される。逆浸透膜７は、袋体の内部が集水配管８の透孔８ａに連通するように集水配管８に接合される。逆浸透膜７は、袋体の内側と逆浸透膜７同士の間とに、スペーサ９が介装されることによって外形が保たれている。
【００２３】
図２に示すように、逆浸透膜エレメント６は、集水配管８が圧力容器５の長手方向に沿う向きで、互いに直列な配置となるように圧力容器５に収容される。逆浸透膜エレメント６の集水配管８同士は、互いに連結されて末端が開いた一つの管路を形成し、集水配管８の末端は、導出ポート５ｂが設けられた圧力容器５の端部から外側に引き出されている。
【００２４】
図３に示す逆浸透膜モジュールＭにおいては、浸透圧以上に加圧された被処理水が導入ポート５ａを通じて圧力容器５に導入される。そして、圧力容器５の内部を長手方向に沿って被処理水が流れる間に、逆浸透膜７によってクロスフロー濾過方式で逆浸透処理が行われる。その後、逆浸透処理により逆浸透膜７の一次側に濃縮した濃縮水は、導出ポート５ｂを通じて圧力容器５から排出される。一方、逆浸透膜７の二次側に透過した透過水は、集水配管８の内部に集水されて末端から排出される。
【００２５】
図１に示すバンク（１０，２０）は、このような逆浸透膜モジュールＭが配管を介して並列に接続されて構成されている。バンクは、通常、同一の仕様の逆浸透膜モジュールＭで構成される。なお、図１において、第１バンク１０及び第２バンク２０は、複数並列に配置された逆浸透膜モジュールＭによって構成されているが、逆浸透膜モジュールＭの数は、１個であってもよいし、２個以上の任意の数であってもよい。
【００２６】
図１に示すように、直列に接続して備えられる複数のバンク（１０，２０）は、被処理水をバンク（１０，２０）に供給するための被処理水配管（Ｌ１１，Ｌ２１）と、バンク（１０，２０）によって分離された濃縮水をバンク（１０，２０）から排出するための濃縮水配管（Ｌ１２，Ｌ２２）と、バンク（１０，２０）によって分離された透過水をバンク（１０，２０）から排出するための透過水配管（Ｌ１３，Ｌ２３）と、をそれぞれ有している。
【００２７】
図１において、被処理水配管（Ｌ１１，Ｌ２１）としては、第１バンク１０に接続した第１被処理水配管Ｌ１１と、第２バンク２０に接続した第２被処理水配管Ｌ２１が備えられている。また、濃縮水配管（Ｌ１２，Ｌ２２）としては、第１バンク１０に接続した第１濃縮水配管Ｌ１２と、第２バンク２０に接続した第２濃縮水配管Ｌ２２が備えられている。また、透過水配管（Ｌ１３，Ｌ２３）としては、第１バンク１０に接続した第１透過水配管Ｌ１３と、第２バンク２０に接続した第２透過水配管Ｌ２３が備えられている。
【００２８】
第１被処理水配管Ｌ１１は、第１バンク１０の上流に配置される供給ポンプ１１から、高圧ポンプ１２を経て、第１バンク１０が備える逆浸透膜モジュールＭの一次側の入口（導入ポート５ａ）に向けて、被処理水が通流可能な流路を形成している。第１被処理水配管Ｌ１１は、第１バンク１０で逆浸透処理される被処理水を第１バンク１０に流すために用いられる配管である。第１被処理水配管Ｌ１１の上流には、逆浸透処理に供する被処理水を系外から供給する供給ポンプ１１と、被処理水を浸透圧以上に昇圧して逆浸透膜モジュールＭが備える逆浸透膜に逆浸透させる高圧ポンプ１２が設置されている。
【００２９】
第２被処理水配管Ｌ２１は、第２バンク２０の上流に配置される第１バンク１０から、第２バンク２０が備える逆浸透膜モジュールＭの一次側の入口（導入ポート５ａ）に向けて、被処理水すなわち前段側で分離された濃縮水が通流可能な流路を形成している。第２被処理水配管Ｌ２１は、第２バンク２０で逆浸透処理される被処理水を第２バンク２０に流すために用いられる配管である。
【００３０】
第１濃縮水配管Ｌ１２は、第１バンク１０が備える逆浸透膜モジュールＭの一次側の出口（導出ポート５ｂ）から、第２バンク２０が備える逆浸透膜モジュールＭの一次側の入口（導入ポート５ａ）に向けて、第１バンク１０において分離された濃縮水が通流可能な流路を形成している。第１濃縮水配管Ｌ１２は、第１バンク１０において分離された濃縮水を第２バンク２０に流すために用いられる配管である。
【００３１】
第２濃縮水配管Ｌ２２は、第２バンク２０が備える逆浸透膜モジュールＭの一次側の出口（導出ポート５ｂ）から、膜ユニットの系外に向けて、第２バンク２０において分離された濃縮水が通流可能な流路を形成している。第２濃縮水配管Ｌ２２は、第２バンク２０において分離された濃縮水を第２バンク２０から排出するために用いられる配管である。
【００３２】
第１透過水配管Ｌ１３は、第１バンク１０が備える逆浸透膜モジュールＭの二次側の出口（集水配管８の末端）から、膜ユニットの系外に向けて、第１バンク１０において分離された透過水が通流可能な流路を形成している。第１透過水配管Ｌ１３は、第１バンク１０において分離された透過水を回収するために用いられる配管である。なお、図１において、第１透過水配管Ｌ１３の下流には、第１合流管Ｌ１４や、第１分流管Ｌ１５や、生産水配管Ｌ１が繋がっている。
【００３３】
第２透過水配管Ｌ２３は、第２バンク２０が備える逆浸透膜モジュールＭの二次側の出口（集水配管８の末端）から、膜ユニットの系外に向けて、第２バンク２０において分離された透過水が通流可能な流路を形成している。第２透過水配管Ｌ２３は、第２バンク２０において分離された透過水を回収するために用いられる配管である。なお、図１において、第２透過水配管Ｌ２３の下流には、第２合流管Ｌ２４や、生産水配管Ｌ１や、第２分流管Ｌ２５が繋がっている。
【００３４】
逆浸透処理装置１は、複数のバンク（１０，２０）を直列に接続して備える多段式の逆浸透処理装置である。第１バンク１０と第２バンク２０の２段で構成された逆浸透処理装置１では、最前段に配置された第１バンク１０が、被処理水を逆浸透により一次処理する。第１バンク１０において被処理水が逆浸透処理されると、被処理水は、第１透過水と第１濃縮水とに分離される。そして、次段の第２バンク２０が、第１バンク１０によって分離された第１濃縮水を逆浸透により二次処理する。第２バンク２０において被処理水すなわち第１濃縮水が逆浸透処理されると、被処理水は、第２透過水と第２濃縮水とに分離される。そのため、逆浸透処理装置１においては、第１バンク１０と第２バンク２０のそれぞれの造水量を合算した量の脱塩水を造水することが可能である。
【００３５】
図１に示すように、本実施形態に係る逆浸透処理装置１においては、直列に接続して備えられる複数のバンク（１０，２０）は、被処理水配管（Ｌ１１）における被処理水の通流を閉止可能な被処理水配管バルブ（Ｖ１１）と、濃縮水配管（Ｌ１２）における濃縮水の通流を閉止可能な濃縮水配管バルブ（Ｖ１２）とを有している。また、第１透過水配管Ｌ１３に流量調整バルブＶ１３を有し、第１合流管Ｌ１４に第１透過水配管Ｌ１３や第１合流管Ｌ１４における透過水の通流を閉止可能な第１透過水配管バルブＶ１４を有している。
【００３６】
第１バンク１０は、被処理水の入口が被処理水配管バルブＶ１１で閉止されると共に、濃縮水の出口が濃縮水配管バルブＶ１２で閉止されることにより、被処理水の逆浸透処理が中断されるようになっている。
【００３７】
また、直列に接続して備えられる複数のバンク（１０，２０）のうち、一部のバンク（１０）は、被処理水配管（Ｌ１１）と濃縮水配管（Ｌ１２）の間に、迂回管（Ｌ１６）が接続している。
【００３８】
迂回管（Ｌ１６）は、バンク（１０）に供給される被処理水をバンク（１０）を迂回して排水するための配管である。迂回管Ｌ１６は、図１において、被処理水配管Ｌ１１における被処理水配管バルブＶ１１の上流側と、濃縮水配管Ｌ１２における濃縮水配管バルブＶ１２の下流側との間を接続している。迂回管Ｌ１６が形成する管路は、第１バンク１０の上流に配置される高圧ポンプ１２から、第２バンク２０が備える逆浸透膜モジュールの一次側の入口（導入ポート５ａ）まで連通しており、逆浸透処理のために供給される被処理水は、第１バンク１０をバイパスして第２バンク２０に供給可能とされている。迂回管Ｌ１６には、迂回管Ｌ１６における被処理水の通流を閉止可能な迂回管バルブＶ１６が設けられている。
【００３９】
また、直列に接続して備えられる複数のバンク（１０，２０）のうち、一部のバンク（１０）は、被処理水配管（Ｌ１１）と濃縮水配管（Ｌ１２）の間に、薬洗用配管（Ｌ５１，Ｌ５２）が接続している。図１において、薬洗用配管（Ｌ５１，Ｌ５２）としては、濃縮水配管Ｌ１２に接続した第１薬洗用配管Ｌ５１と、被処理水配管Ｌ１１に接続した第２薬洗用配管Ｌ５２とが備えられている。第１薬洗用配管Ｌ５１には、第１薬洗用配管Ｌ５１における薬洗水の通流を閉止可能な第１薬洗用配管バルブＶ５１が設けられている。また、第２薬洗用配管Ｌ５２には、第２薬洗用配管Ｌ５２における薬洗水の通流を閉止可能な第２薬洗用配管バルブＶ５２が設けられている。
【００４０】
薬洗用配管（Ｌ５１，Ｌ５２）は、バンク（１０）に配置された逆浸透膜モジュールに対して逆浸透膜モジュールを洗浄する薬洗水を供給するための配管である。薬洗用配管（Ｌ５１，Ｌ５２）は、図１において、被処理水配管Ｌ１１における被処理水配管バルブＶ１１の下流側と、濃縮水配管Ｌ１２における濃縮水配管バルブＶ１２の上流側との間を接続している。第１薬洗用配管Ｌ５１と第２薬洗用配管Ｌ５２とは、他端が、共通の薬洗装置Ｕに繋がっている。
【００４１】
図４Ａ及び図４Ｂは、薬洗装置の構成の一例を示す図である。
図４Ａ及び図４Ｂに示すように、薬洗装置Ｕは、薬洗水を一時的に貯留するための薬洗水タンク３１０と、薬洗水をバンク（１０）に配置された逆浸透膜モジュールに通水するための薬洗用ポンプ３２０と、薬洗水を濾過して洗浄後の汚濁物を除去するためのフィルタ３３０と、を備えて構成することができる。
【００４２】
薬洗装置Ｕは、薬洗水タンク３１０、薬洗用ポンプ３２０、フィルタ３３０等を、薬洗水が通流可能な配管を介して直列に備え、一端が、第１薬洗用配管Ｌ５１に接続し、他端が、第２薬洗用配管Ｌ５２に接続される。つまり、薬洗装置Ｕとバンク（１０）との間には、薬洗水が循環可能な循環路が形成される。薬洗装置Ｕは、循環路に薬洗水を通水することにより、バンク（１０）に配置された逆浸透膜モジュールの内部を薬洗水で定置洗浄することが可能である。
【００４３】
薬洗水としては、例えば、次亜塩素酸ナトリウム、クロラミン、結合臭素を含む化合物等の酸化性の薬剤、２，２−ジブロモ−３−ニトリロプロピオンアミド（ＤＢＮＰＡ）等の殺菌剤、エチレンジアミン四酢酸（ＥＤＴＡ）等のキレート剤、酸、アルカリ、界面活性剤等を含む薬液を用いることができる。これらの１種以上を水に溶解した薬液を薬洗水として通水することができる。薬洗装置Ｕによる定置洗浄は、例えば、清澄な清水を一方向に通水して排水するフラッシング、薬洗水によるフラッシング、循環路上での薬洗水の循環、逆浸透膜モジュールの内部に薬洗水を満たして静置する浸漬、逆浸透膜モジュールの内部に清澄な清水を満たして静置する浸漬等の各種の処理を組み合わせて実施する。
【００４４】
薬洗装置Ｕは、第１薬洗用配管Ｌ５１を介して、第１濃縮水配管Ｌ１２の側から薬洗水を流してもよいし、第２薬洗用配管Ｌ５２を介して、第１被処理水配管Ｌ１１の側から薬洗水を流してもよい。第１濃縮水配管Ｌ１２の側から薬洗水を流す場合、バンク（１０）に配置された逆浸透膜モジュールのそれぞれは、一次側の出口（導出ポート５ｂ）から薬洗水で逆洗されることになる。被処理水の流れの方向に強固に付着した微生物膜等は、反対の流れの薬洗水で容易に剥離されるため、効果的に洗浄を行うことが可能である。
【００４５】
薬洗装置Ｕは、図４Ａに示すように、薬洗水の流れの方向に沿って、薬洗水タンク３１０、薬洗用ポンプ３２０、フィルタ３３０の順に構成することが可能である。図４Ａの順序であると、薬洗水タンク３１０に投入された薬剤が生成した反応物や、薬洗水タンク３１０に混入した異物等が、バンク（１０）に配置された逆浸透膜モジュールに流される前にフィルタ３３０で排除される。そのため、これらの反応物や異物等が逆浸透膜モジュールに流入し、逆浸透膜モジュールの内部で流路に付着するのを防止することができる。
【００４６】
また、薬洗装置Ｕは、図４Ｂに示すように、薬洗水の流れの方向に沿って、フィルタ３３０、薬洗水タンク３１０、薬洗用ポンプ３２０の順に構成することが可能である。図４Ｂの順序であると、バンク（１０）から返送された薬洗水に残留している汚濁物が、薬洗水タンク３１０に流入する前にフィルタ３３０で排除される。そのため、汚濁物が薬洗水タンク３１０に投入された薬剤と反応して、薬剤の効果が弱められるのを防止することができる。また、汚濁物が逆浸透膜モジュールに再流入して流路に付着するのを防止することができる。
【００４７】
図１に示すように、直列に接続して備えられる複数のバンク（１０，２０）のうち、一部のバンク（１０）は、被処理水配管（Ｌ１１）と濃縮水配管（Ｌ１２）に、給水管（Ｌ１８）と排水管（Ｌ１９）とがそれぞれ接続している。
【００４８】
給水管（Ｌ１８）は、バンク（１０）に配置された逆浸透膜モジュールに被処理水を給水するための配管である。給水管Ｌ１８は、図１において、被処理水配管Ｌ１１における被処理水配管バルブＶ１１と第１バンク１０との間に接続している。給水管Ｌ１８には、給水管Ｌ１８における被処理水の通流を閉止可能な給水管バルブＶ１８が設けられている。逆浸透膜モジュールの内部の液体は、給水管Ｌ１８を通じて給水される被処理水によって置換されるようになっている。給水管Ｌ１８は、例えば、被処理水を第１バンク１０に向けて供給する供給路上において、高圧ポンプ１２の上流側から分岐して被処理水配管Ｌ１１の中間部に接続する構造、高圧ポンプ１２の下流側から分岐して被処理水配管Ｌ１１の中間部に接続する構造等とすることが可能である。
【００４９】
排水管（Ｌ１９）は、逆浸透処理によって分離された濃縮水、バンク（１０）に供給された薬洗水、被処理水等をバンク（１０）から系外に排水するための配管である。排水管Ｌ１９は、図１において、濃縮水配管Ｌ１２における濃縮水配管バルブＶ１２と第１バンク１０との間に接続している。排水管Ｌ１９には、排水管Ｌ１９における通流を閉止可能な排水管バルブＶ１９と、液体検出器Ｄ１とが設けられている。
【００５０】
液体検出器Ｄ１は、液体のｐＨや電気伝導率等の性状を検出可能な検出器により構成される。液体検出器Ｄ１は、ｐＨや電気伝導率等を計測し、液体の組成から逆浸透膜モジュールの内部の液体を検出することが可能であれば、水素電極、ガラス電極、半導体センサ等を備える各種のｐＨ計、交流式、電磁誘導式等の各種の電気伝導率計等、適宜の機器を用いることができる。
【００５１】
また、図１に示すように、被処理水配管バルブ（Ｖ１１）と濃縮水配管バルブ（Ｖ１２）とを有するバンク（１０）は、第１透過水配管Ｌ１３等を介して、液体検出器Ｄ２と繋がっている。第１バンク１０に接続した第１透過水配管Ｌ１３の他端から、第１合流管Ｌ１４と、第１分流管Ｌ１５とが分岐している。第１合流管Ｌ１４には、第１透過水配管バルブＶ１４が設けられており、第１分流管Ｌ１５には、第１分流管Ｌ１５における透過水の通流を閉止可能な第１分流管バルブＶ１５が設けられている。そして、第１合流管Ｌ１４の下流に生産水配管Ｌ１が接続し、第１分流管Ｌ１５における第１分流管バルブＶ１５の下流に液体検出器Ｄ２が繋がっている。液体検出器Ｄ２は、液体検出器Ｄ１と同様に、液体のｐＨや電気伝導率等の性状を検出可能な検出器により構成される。
【００５２】
また、図１に示すように、第２バンク２０に接続した第２透過水配管Ｌ２３の他端から、第２合流管Ｌ２４と、第２分流管Ｌ２５とが分岐している。第２合流管Ｌ２４には、第２透過水配管Ｌ２３や第２合流管Ｌ２４における透過水の通流を閉止可能な第２透過水配管バルブＶ２４が設けられており、第２分流管Ｌ２５には、第２分流管Ｌ２５における透過水の通流を閉止可能な第２分流管バルブＶ２５が設けられている。そして、第２合流管Ｌ２４の下流に第１合流管Ｌ１４が合流しており、共に生産水配管Ｌ１に接続している。
【００５３】
第１バンク１０において分離された第１透過水は、第１合流管Ｌ１４と生産水配管Ｌ１を通じて系外に向けて個別に排水されたり、第２バンク２０において分離された第２透過水と合流してから排出されたり、第１分流管Ｌ１５を通じて液体検出器Ｄ２に導入されたりするようになっている。また、第２バンク２０において分離された第２透過水は、第２合流管Ｌ２４と生産水配管Ｌ１を通じて系外に向けて個別に排水されたり、第１バンク１０において分離された第１透過水と合流してから排出されたり、第２分流管Ｌ２５を通じて排水されたりするようになっている。
【００５４】
なお、逆浸透処理装置１において、給水管（Ｌ１８）、排水管（Ｌ１９）、液体検出器Ｄ１、液体検出器Ｄ２は、設置を省略してもよい。また、液体検出器Ｄ１や液体検出器Ｄ２に代えて、採水した液体を手動で分析する形態とすることも可能である。
【００５５】
次に、逆浸透処理装置１を使用して行う逆浸透処理方法について説明する。
【００５６】
図１に示す逆浸透処理装置１においては、通常、直列に接続した複数のバンク（１０，２０）を使用して被処理水を逆浸透処理する。逆浸透膜モジュールが備える逆浸透膜は、被処理水を逆浸透処理する間に、被処理水に含まれている有機物や、膜面上で増殖する微生物や、スケールとして析出する無機物等によって汚染されて目詰まりを生じ得るが、装置の運転を停止すると造水量が少なくなる。そのため、逆浸透処理装置１においては、逆浸透処理を中断することなく、バンク（１０）に配置された逆浸透膜モジュールの洗浄を行う。
【００５７】
逆浸透膜モジュールの洗浄は、逆浸透処理装置１の運転中に行うことが可能である。例えば、逆浸透膜モジュールの運転時間が所定の時間に達したとき、逆浸透膜モジュールの膜間差圧が所定の値を超えたとき、バンク（１０）の流路圧損が所定の値を超えたときに、バルブと流路とを切り替え、バンク（１０）に配置された逆浸透膜モジュールを洗浄することができる。バンク（１０）に配置された逆浸透膜モジュールの洗浄は、逆浸透処理装置１の運転中に間欠的に繰り返し行うことが可能である。
【００５８】
次の表１は、複数のバンク（１０，２０）のうち、一部のバンク（１０）に配置された逆浸透膜モジュールを洗浄するときのバルブの開閉状態を例示している。逆浸透膜モジュールの洗浄は、表１に示すように、直列に接続した複数のバンク（１０，２０）を使用して被処理水を逆浸透処理する通常運転と、逆浸透膜モジュールを洗浄する洗浄運転と、逆浸透膜モジュールを運転可能な状態に復帰させる第１復帰運転と、第２復帰運転とを順に実行することにより行うことが好ましい。
【００５９】
【表１】
2018171563.tif 000003
【００６０】
表１に示すように、通常運転においては、被処理水配管バルブ（Ｖ１１）、濃縮水配管バルブ（Ｖ１２）が開かれ、迂回管バルブＶ１６は閉じた状態である。また、第１透過水配管バルブＶ１４、第２透過水配管バルブＶ２４は開かれ、第１分流管バルブＶ１５、第２分流管バルブＶ２５、第１薬洗用配管バルブＶ５１、第２薬洗用配管バルブＶ５２、給水管バルブＶ１８、排水管バルブＶ１９は閉じた状態である。第１バンク１０と第２バンク２０とによって、被処理水が逆浸透処理され、分離された透過水は、生産水配管Ｌ１を通じて系外に向けて排水される。
【００６１】
続いて、洗浄運転においては、被処理水を逆浸透処理する間に、複数のバンク（１０，２０）のうち、一部のバンク（１０）が有する被処理水配管バルブ（Ｖ１１）と濃縮水配管バルブ（Ｖ１２）とを閉止する。また、第１透過水配管バルブＶ１４、第１分流管バルブＶ１５、及び、第２分流管バルブＶ２５をいずれも閉止する。一方、迂回管バルブ（Ｖ１６）、第２透過水配管バルブＶ２４、第１薬洗用配管バルブＶ５１、第２薬洗用配管バルブＶ５２を開放する。そして、バルブが閉止されたバンク（１０）に供給される被処理水を、迂回管（Ｌ１６）を介してバンク（１０）を迂回させながら、複数のバンク（１０，２０）のうち、残部のバンク（２０）を使用して逆浸透処理を続ける。また、残部のバンク（２０）を使用して被処理水を逆浸透処理する間に、バルブが閉止されたバンク（１０）に、薬洗用配管（Ｌ５１，Ｌ５２）を介して薬洗水を通水して逆浸透膜モジュールを洗浄する。
【００６２】
洗浄運転においては、供給ポンプ１１、及び、高圧ポンプ１２のうち、少なくとも一方の出力を制御して透過水の造水量を調整する。一部のバンク（１０）を洗浄するときの、残部のバンク（２０）における透過水の流量は、通常運転時の残部のバンク（２０）における透過水の流量値以上に設定することが好ましい。このように設定すれば、洗浄による造水量の減少を最小限に抑えることができる。また、一部のバンク（１０）を洗浄するときの、複数のバンク（１０，２０）の全体における透過水の流量の合計は、通常運転時の複数のバンク（１０，２０）の全体における透過水の流量の合計値以下に設定することが好ましい。このように設定すれば、残部のバンク（２０）による造水量を高くしているとき、逆浸透膜への負荷が抑制されるため、逆浸透処理をより安定的に継続することができる。
【００６３】
続いて、第１復帰運転においては、逆浸透膜モジュールを洗浄した後、第１薬洗用配管Ｖ５１と第２薬洗用配管Ｖ５２とを閉止する。一方、給水管バルブＶ１８と排水管バルブＶ１９とを開放する。そして、給水管Ｌ１８を通じて、洗浄された逆浸透膜モジュールに被処理水を給水し、逆浸透膜モジュールの内部の液体を被処理水に置換する。逆浸透膜モジュールに供給された被処理水は、逆浸透膜モジュールの内部に残存していた液体と共に、排水管Ｌ１９を通じて系外に排水される。第１復帰運転を実行することにより、逆浸透膜モジュールの内部の液体を、被処理水に置換することができる。そのため、逆浸透膜モジュールの内部の液体に高圧が負荷され、急激にフラックスが増加することを防止しながら、逆浸透膜モジュールの仕様上の膜フラックス上限値を守りつつ、逆浸透処理による造水を不断に続けることが可能である。
【００６４】
続いて、第２復帰運転においては、バンク（１０）が有する被処理水配管バルブ（Ｖ１１）と濃縮水配管バルブ（Ｖ１２）とを開放すると共に、迂回管バルブ（Ｖ１６）を閉止する。また、給水管バルブＶ１８と排水管バルブＶ１９とを閉止し、第１分流管バルブＶ１５を開放する。そして、被処理水配管バルブ（Ｖ１１）と濃縮水配管バルブ（Ｖ１２）とを有するバンク（１０）において分離された透過水を、第１分流管Ｌ１５を通じて液体検出器Ｄ２に導入し、透過水の水質を検出する。液体検出器Ｄ２で検出される液体が、生産水の規定の範囲内にあれば、第２復帰運転を終了する。第２復帰運転を実行することにより、水質に懸念がある透過水が生産水配管Ｌ１から回収されるのを防止することができる。すなわち、酸による透過水の総溶解固形分の増加や、殺菌剤による透過水の汚染等が防止される。
【００６５】
その後、再び通常運転に戻り、バルブの開閉を切り替えて、複数の複数のバンク（１０，２０）を使用した多段式の逆浸透処理を再開し、被処理水配管バルブ（Ｖ１１）と濃縮水配管バルブ（Ｖ１２）とを有するバンク（１０）を間欠的に洗浄しながら逆浸透処理を続ける。
【００６６】
以上の逆浸透処理装置１や逆浸透処理方法によると、逆浸透膜モジュールの洗浄時においても、逆浸透処理を中断することなく、逆浸透処理を続けることが可能である。そのため、逆浸透膜モジュールの稼働率を高く維持して、装置全体としての造水量を高く保つことができる。つまり、従来の逆浸透処理装置においては、膜ユニット当たりの造水量を考慮して、予備の逆浸透膜モジュールの系列やバッファタンク等を大容量にする必要があったところ、以上の逆浸透処理装置１や逆浸透処理方法によると、逆浸透膜モジュールの洗浄時においても、バンク当たりの造水量を超える低下が生じ難くなる。そのため、予備の逆浸透膜モジュールの系列やバッファタンク等を大容量にする必要が無く、設備コストが削減される。また、洗浄時に低下する造水量を補う目的で高い運転圧力を維持する必要が必ずしも無いため、ポンプの選定が制約されないし、逆浸透膜への圧力負荷も低減することができる。
【００６７】
特に、逆浸透処理装置１によると、前段側のバンク（１０）を、被処理水を迂回させて薬洗水により洗浄することが可能である。そのため、前段側のバンク（１０）に配置された逆浸透膜モジュールについて、バイオファウリングや、スケールによる汚染を持続的に予防することができる。前段側のバンク（１０）は、経験的に有機物等による汚染やバイオファウリングが顕著となるため、被処理水の水質が良好でない場合の逆浸透処理に好適である。
【００６８】
また、通常運転、洗浄運転、第１復帰運転、第２復帰運転を繰り返し実行する逆浸透処理方法によると、薬洗水を通水して洗浄した逆浸透膜モジュールを、供給ポンプ１１による被処理水の供給を中断せず、逆浸透処理に復帰させることができる。そのため、逆浸透膜モジュールの稼働率をより高く維持して、装置全体としての造水量を向上させることができる。なお、逆浸透膜モジュールの洗浄を行うに際しては、第１復帰運転や第２復帰運転が省略されてもよい。例えば、装置の運転を一時中断し、供給ポンプ１１が設置された通常の供給路を通じて、洗浄された逆浸透膜モジュールに被処理水を給水して置換してもよい。
【００６９】
次に、本発明の一実施形態に係る逆浸透処理装置の他の構成例について説明する。
【００７０】
図５及び図６は、本発明の一実施形態に係る逆浸透処理装置の構成例を示す図である。
前記の逆浸透処理装置１は、直列に接続して備えられる複数のバンク（１０，２０）のうち、前段側のバンク（１０）が、被処理水を迂回させて薬洗水により洗浄される構成とされている。しかしながら、図５及び図６に示すように、直列に接続して備えられる複数のバンク（１０，２０）のうち、被処理水を迂回させて薬洗水により洗浄されるバンク（１０，２０）は、後段側のバンク（２０）であってもよいし、複数のバンク（１０，２０）であってもよい。すなわち、直列に接続して備えられる複数のバンク（１０，２０）のうち、１段以上の任意の段数を、被処理水配管バルブと濃縮水配管バルブとを有し、迂回管と薬洗用配管とが接続した構成にすることも可能である。
【００７１】
図５に示す逆浸透処理装置２においては、直列に接続して備えられる複数のバンク（１０，２０）のうち、後段側のバンク（２０）が、被処理水配管（Ｌ２１）と、濃縮水配管（Ｌ２２）と共に、被処理水配管（Ｌ２１）における被処理水の通流を閉止可能な被処理水配管バルブ（Ｖ２１）と、濃縮水配管（Ｌ２２）における濃縮水の通流を閉止可能な濃縮水配管バルブ（Ｖ２２）とを有している。また、被処理水配管（Ｌ２１）と濃縮水配管（Ｌ２２）に、バンク（２０）に供給される被処理水をバンク（２０）を迂回して排水するための迂回管（Ｌ２６）と、バンク（２０）に配置された逆浸透膜モジュールに対して逆浸透膜モジュールを洗浄する薬洗水を供給するための薬洗用配管（Ｌ５１，Ｌ５２）が接続している。
【００７２】
また、逆浸透処理装置２において、直列に接続して備えられる複数のバンク（１０，２０）のうち、後段側のバンク（２０）は、被処理水配管（Ｌ２１）と濃縮水配管（Ｌ２２）に、給水管（Ｌ２８）と排水管（Ｌ２９）とがそれぞれ接続している。排水管Ｌ２９には、液体検出器Ｄ１が設けられている。また、第２分流管Ｌ２５には、液体検出器Ｄ２が繋がっている。迂回管（Ｌ２６）、給水管（Ｌ２８）、排水管（Ｌ２９）、液体検出器（Ｄ１，Ｄ２）の構成や使用法は、第１バンク１０に接続された前記の場合と同様である。
【００７３】
図５に示す逆浸透処理装置２や、これを使用した逆浸透処理方法によると、後段側のバンク（２０）を、被処理水を迂回させて薬洗水により洗浄することが可能である。そのため、後段側のバンク（２０）に配置された逆浸透膜モジュールについて、バイオファウリングや、スケールによる汚染を持続的に予防することができる。後段側のバンク（２０）は、濃縮が進むことによりスケールの堆積が顕著となるため、イオン、塩類等の無機物を含む被処理水の逆浸透処理に好適である。
【００７４】
一方、図６に示す逆浸透処理装置３においては、直列に接続して備えられる複数のバンク（１０，２０）が、被処理水配管（Ｌ１１，Ｌ２１）と、濃縮水配管（Ｌ１２，Ｌ２２）と共に、被処理水配管（Ｌ１１，Ｌ２１）における被処理水の通流を閉止可能な被処理水配管バルブ（Ｖ１１，Ｖ２１）と、濃縮水配管（Ｌ１２，Ｌ２２）における濃縮水の通流を閉止可能な濃縮水配管バルブ（Ｖ１２，Ｖ２２）とを有している。また、被処理水配管（Ｌ１１，Ｌ２１）と濃縮水配管（Ｌ１２，Ｌ２２）に、迂回管（Ｌ１６，Ｌ２６）と薬洗用配管（Ｌ５１，Ｌ５２，Ｌ５４，Ｌ５５）が接続している。
【００７５】
逆浸透処理装置３において、薬洗用配管Ｌ５１は、第２バンク２０の濃縮水配管Ｌ２２に接続している。また、薬洗用配管Ｌ５５は、第２バンク２０の被処理水配管Ｌ２１に接続している。薬洗用配管Ｌ５１と薬洗用配管Ｌ５５は、他端が共通の薬洗装置Ｕに繋がっており、薬洗装置Ｕと第２バンク２０との間に、薬洗水が循環可能な循環路を形成している。一方、薬洗用配管Ｌ５２は、第１バンク１０の被処理水配管Ｌ１１に接続している。また、薬洗用配管Ｌ５４は、第１バンク１０の濃縮水配管Ｌ１２に接続している。薬洗用配管Ｌ５２と薬洗用配管Ｌ５４は、他端が共通の薬洗装置Ｕに繋がっており、薬洗装置Ｕと第１バンク１０との間に、薬洗水が循環可能な循環路を形成している。薬洗用配管（Ｌ５１，Ｌ５２，Ｌ５４，Ｌ５５）のそれぞれには、薬洗水の通流を閉止可能な薬洗用配管バルブ（Ｖ５１，Ｖ５２，Ｖ５４，Ｖ５５）が設けられている。
【００７６】
また、逆浸透処理装置３において、直列に接続して備えられる複数のバンク（１０，２０）は、被処理水配管（Ｌ１１，Ｌ２１）と濃縮水配管（Ｌ１２，Ｌ２２）に、給水管（Ｌ１８，Ｌ２８）と排水管（Ｌ１９，Ｌ２９）とがそれぞれ接続している。第１ユニット１０に繋がる排水管Ｌ１９には、液体検出器Ｄ１１が設けられており、第２ユニット２０に繋がる排水管Ｌ２９には、液体検出器Ｄ２１が設けられている。また、第１分流管Ｌ１５には、液体検出器Ｄ１２が繋がっており、第２分流管Ｌ２５には、液体検出器Ｄ２２が繋がっている。迂回管（Ｌ２６）、給水管（Ｌ２８）、排水管（Ｌ２９）の構成や使用法は、第１バンク１０に接続された前記の場合と同様である。また、液体検出器（Ｄ１１，Ｄ１２，Ｄ２１，Ｄ２２）は、前記の液体検出器Ｄ１と同様に構成される。
【００７７】
逆浸透処理装置３においては、直列に接続して備えられる第１バンク１０及び第２バンク２０のうち、一方のバンクに供給される被処理水を、そのバンクを迂回させて排水しながら、残りのバンクを使用して逆浸透処理することができる。すなわち、第１バンク１０に向けて供給される被処理水を、第１バンク１０を迂回させて第２バンク２０に供給し、第２バンク２０において逆浸透処理することができる。或いは、第１バンク１０において被処理水を逆浸透処理し、第２バンク２０に向けて供給される被処理水すなわち第１濃縮水を、第２バンク２０を迂回させて排水することができる。
【００７８】
そして、第１バンク１０及び第２バンク２０のうち、残りのバンクを使用して被処理水を逆浸透処理する間に、被処理水を迂回させたバンクに薬洗水を供給して逆浸透膜モジュールを洗浄する。すなわち、第１バンク１０、薬洗用配管Ｌ５２、及び、薬洗用配管Ｌ５４が形成する前段側の循環路と、第２バンク２０、薬洗用配管Ｌ５１、及び、薬洗用配管Ｌ５５が形成する後段側の循環路とのうち、一方のみを薬洗水の通水に使用し、逆浸透処理を続けながら、薬洗装置Ｕによる定置洗浄を行う。逆浸透膜モジュールの洗浄は、前記と同様に、通常運転と、洗浄運転と、第１復帰運転と、第２復帰運転とを順に実行することにより行うことができる。
【００７９】
図６に示す逆浸透処理装置３や、これを使用した逆浸透処理方法によると、直列に接続して備えられる複数のバンク（１０，２０）のうち、いずれのバンクの洗浄が必要になったとしても、逆浸透処理を中断することなく、被処理水を迂回させて薬洗水により洗浄することが可能である。そのため、前段側のバンク（１０）及び後段側のバンク（２０）のいずれに配置された逆浸透膜モジュールについても、バイオファウリングや、スケールによる汚染を持続的に予防することができる。特に、被処理水の水質が良好でなく、有機物及び無機物の両方の濃度が高い場合等には、前段側のバンク（１０）におけるバイオファウリングと、後段側のバンク（２０）におけるスケールの堆積とが、異なるタイミングで重度化し得る。このような被処理水の場合、前段側のバンク（１０）及び後段側のバンク（２０）のそれぞれに配置された逆浸透膜モジュールを、互いに独立したタイミングで洗浄することができるため、稼働率の低下を最小限に留めながら、それぞれの汚染を持続的に予防することができる。
【００８０】
次に、本発明の変形例に係る逆浸透処理装置（逆浸透処理システム）の構成について説明する。
【００８１】
図７は、本発明の第１変形例に係る逆浸透処理装置の構成を示す図である。
図７に示すように、多段式のバンク（１０，２０）を備える前記の逆浸透処理装置（１，２，３）は、供給ポンプ（第１ポンプ）１１と、高圧ポンプ（第２ポンプ）１２と、動力回収装置１８と、ブースターポンプ（第３ポンプ）１９と、を備えて動力回収型の膜ユニットを構成することができる。このような膜ユニットを、供給ポンプ１１の下流で配管を介して互いに並列に接続することにより、膜ユニットの系列を備える逆浸透処理システム（変形例に係る逆浸透処理装置）Ｓ１とすることが可能である。
【００８２】
動力回収装置１８は、後段側のバンク（２０）によって分離された濃縮水の残圧を利用して前段側のバンク（１０）に供給される被処理水を昇圧する装置である。動力回収装置１８は、例えば、ＰＸ（Pressure Exchanger）型、ＤＷＥＥＲ（Dual Work Energy Exchanger）型等の圧力交換器や、ターボチャージャー式のエネルギ交換器や、ぺルトン水車等のように圧力、流速等のエネルギを交換可能な装置で構成される。
【００８３】
ブースターポンプ１９は、動力回収装置１８によって昇圧された被処理水を加圧するために備えられる。ブースターポンプ１９は、動力回収装置１８による昇圧で不足する圧力を補い、被処理水を浸透圧以上に昇圧して逆浸透膜モジュールが備える逆浸透膜に逆浸透させる。
【００８４】
動力回収装置１８とブースターポンプ１９は、高圧ポンプ１２よりも上流の分流点で分流し、複数のバンク（１０，２０）をそれぞれ備える膜ユニットの系列毎に分岐した管路に備えられている。分岐した管路は、動力回収装置１８からブースターポンプ１９を経た後、高圧ポンプ１２よりも下流の合流点で合流して第１バンク１０に至る流路を形成している。
【００８５】
図７に示す逆浸透処理システムＳ１において、供給ポンプ１１は、膜ユニットの系列に対して共通に備えられ、複数並列に備えられた膜ユニットのそれぞれと配管を介して接続している。一方、高圧ポンプ１２と、動力回収装置１８と、ブースターポンプ１９とは、複数並列に接続された膜ユニット毎に備えられている。濃縮水配管Ｌ２２において動力回収装置１８の下流には、流量調整バルブＶ３が設置されている。流量調整バルブＶ３は、背圧を付与し、流量を調整可能である。逆浸透処理システムＳ１において、薬洗装置Ｕは、膜ユニットの系列に対して共通に備えられている。
【００８６】
逆浸透処理システムＳ１においては、複数並列に接続された膜ユニットの系列のうち、一部の系列を構成するバンク（１０）に配置された逆浸透膜モジュールを洗浄しながら、残りのバンクに配置された逆浸透膜モジュールで逆浸透処理を続けることができる。洗浄されている逆浸透膜モジュールを備える膜ユニットは、逆浸透処理のために供給される被処理水の流量が、系列毎に備えられた高圧ポンプ１２の出力によって調整される。
【００８７】
以上の逆浸透処理システム（変形例に係る逆浸透処理装置）Ｓ１や、これを使用した逆浸透処理方法によると、複数並列に接続された膜ユニットの系列に対し、共通の供給ポンプ１１により被処理水を供給することができる。そのため、設備コストを削減して、高い造水量を確保することができる。供給ポンプ１１としては、大型のものを採用することができるので、動力効率が向上する点でも有利である。
【００８８】
図８は、本発明の第２変形例に係る逆浸透処理装置の構成を示す図である。
図８に示すように、多段式のバンク（１０，２０）を備える前記の逆浸透処理装置（１，２，３）は、供給ポンプ（第１ポンプ）１１と、高圧ポンプ（第２ポンプ）１２と、動力回収装置１８と、ブースターポンプ（第３ポンプ）１９と、を備えて動力回収型の膜ユニットを構成することができる。このような膜ユニットを、供給ポンプ１１の下流で配管を介して互いに並列に接続することにより、膜ユニットの系列を備える逆浸透処理システム（変形例に係る逆浸透処理装置）Ｓ２とすることが可能である。
【００８９】
図８に示す逆浸透処理システムＳ２において、供給ポンプ１１と、高圧ポンプ１２とは、膜ユニットの系列に対して共通に備えられ、複数並列に備えられた膜ユニットのそれぞれと配管を介して接続している。一方、動力回収装置１８と、ブースターポンプ１９とは、複数並列に接続された膜ユニット毎に備えられている。迂回管Ｌ１６における迂回管バルブＶ１６の下流には、流量調整バルブＶ１、第２バンク２０の透過水配管Ｌ２３には、流量調整バルブＶ２、濃縮水配管Ｌ２２における動力回収装置１８の下流には、流量調整バルブＶ３が、それぞれ設置されている。流量調整バルブ（Ｖ１，Ｖ２，Ｖ３）は、背圧を付与し、流量を調整可能である。逆浸透処理システムＳ２において、薬洗装置Ｕは、膜ユニットの系列に対して共通に備えられている。
【００９０】
逆浸透処理システムＳ２においては、複数並列に接続された膜ユニットの系列のうち、一部の系列を構成するバンク（１０）に配置された逆浸透膜モジュールを洗浄しながら、残りのバンクに配置された逆浸透膜モジュールで逆浸透処理を続けることができる。洗浄されている逆浸透膜モジュールを備える膜ユニットは、逆浸透処理のために供給される被処理水の流量が、流量調整バルブＶ１の開度や、ブースターポンプ１９の出力によって調整される。一方、透過水の流量は、流量調整バルブＶ２の開度によって調整される。なお、ブースターポンプ１９の出力のみで被処理水の流量を調整できる場合は、流量調整バルブＶ１は省略されてもよい。
【００９１】
以上の逆浸透処理システム（変形例に係る逆浸透処理装置）Ｓ２や、これを使用した逆浸透処理方法によると、複数並列に接続された膜ユニットの系列に対し、共通の供給ポンプ１１により被処理水を供給し、共通の高圧ポンプ１２により昇圧して逆浸透させることができる。そのため、設備コストをより削減することができるし、膜ユニットの系列毎に高圧ポンプ１２の出力を調整する必要が無い。高圧ポンプ１２としては、大型のものを採用することができるので、動力効率が向上する点でも有利である。
【００９２】
図９は、本発明の第３変形例に係る逆浸透処理装置の構成を示す図である。
図９に示すように、多段式のバンク（１０，２０）を備える前記の逆浸透処理装置（１，２，３）は、供給ポンプ（第１ポンプ）１１と、高圧ポンプ（第２ポンプ）１２と、動力回収装置１８と、ブースターポンプ（第３ポンプ）１９と、を備えて動力回収型の膜ユニットを構成することができる。このような膜ユニットを、供給ポンプ１１の下流で配管を介して互いに並列に接続することにより、膜ユニットの系列を備える逆浸透処理システム（変形例に係る逆浸透処理装置）Ｓ３とすることもできる。
【００９３】
図９に示す逆浸透処理システムＳ３において、供給ポンプ１１と、高圧ポンプ１２と、ブースターポンプ１９とは、膜ユニットの系列に対して共通に備えられ、複数並列に備えられた膜ユニットのそれぞれと配管を介して接続している。一方、動力回収装置１８は、複数並列に接続された膜ユニット毎に備えられている。迂回管Ｌ１６における迂回管バルブＶ１６の下流には、流量調整バルブＶ１、第２バンク２０の第２透過水配管Ｌ２３には、流量調整バルブＶ２、濃縮水配管Ｌ２２における動力回収装置１８の下流には、流量調整バルブＶ３が、それぞれ設置されている。流量調整バルブ（Ｖ１，Ｖ２，Ｖ３）は、背圧を付与し、流量を調整可能である。逆浸透処理システムＳ３において、薬洗装置Ｕは、膜ユニットの系列に対して共通に備えられている。
【００９４】
逆浸透処理システムＳ３においては、複数並列に接続された膜ユニットの系列のうち、一部の系列を構成するバンク（１０）に配置された逆浸透膜モジュールを洗浄しながら、残りのバンクに配置された逆浸透膜モジュールで逆浸透処理を続けることができる。洗浄されている逆浸透膜モジュールを備える膜ユニットは、逆浸透処理のために供給される被処理水の流量が、流量調整バルブＶ１の開度によって調整される。一方、透過水の流量は、流量調整バルブＶ２の開度によって調整される。動力回収装置１８への被処理水の流入量は、系列毎に設けられた流量調整バルブＶ３の開度によって調整することができる。
【００９５】
以上の逆浸透処理システム（変形例に係る逆浸透処理装置）Ｓ３や、これを使用した逆浸透処理方法によると、複数並列に接続された膜ユニットの系列に対し、共通の供給ポンプ１１により被処理水を供給し、被処理水の一部を膜ユニットの系列毎に備えられた動力回収装置１８に分流し、濃縮水の残圧を利用して加圧した後、共通のブースターポンプ１９により昇圧して逆浸透させることができる。そのため、設備コストをより削減することができるし、膜ユニットの系列毎に高圧ポンプ１２やブースターポンプ１９の出力を調整する必要が無い。ブースターポンプ１９としては、大型のものを採用することができるので、動力効率が向上する点でも有利である。
【００９６】
図１０は、本発明の第４変形例に係る逆浸透処理装置の構成を示す図である。
図１０に示すように、多段式のバンク（１０，２０）を備える前記の逆浸透処理装置（１，２，３）は、供給ポンプ（第１ポンプ）１１と、高圧ポンプ（第２ポンプ）１２と、動力回収装置１８と、ブースターポンプ（第３ポンプ）１９と、を備えて動力回収型の膜ユニットを構成することができる。このような膜ユニットを、供給ポンプ１１の下流で配管を介して互いに並列に接続することにより、膜ユニットの系列を備える逆浸透処理システム（変形例に係る逆浸透処理装置）Ｓ４とすることもできる。
【００９７】
図１０に示す逆浸透処理システムＳ４において、供給ポンプ１１と、高圧ポンプ１２と、ブースターポンプ１９と、動力回収装置１８とは、膜ユニットの系列に対して共通に備えられている。また、迂回管Ｌ１６における迂回管バルブＶ１６の下流には、流量調整バルブＶ１、第２バンク２０の第２透過水配管Ｌ２３には、流量調整バルブＶ２、濃縮水配管Ｌ２２における動力回収装置１８の下流には、流量調整バルブＶ３が、それぞれ設置されている。流量調整バルブ（Ｖ１，Ｖ２，Ｖ３）は、背圧を付与し、流量を調整可能である。逆浸透処理システムＳ４において、薬洗装置Ｕは、膜ユニットの系列に対して共通に備えられている。
【００９８】
逆浸透処理システムＳ４においては、複数並列に接続された膜ユニットの系列のうち、一部の系列を構成するバンク（１０）に配置された逆浸透膜モジュールを洗浄しながら、残りのバンクに配置された逆浸透膜モジュールで逆浸透処理を続けることができる。洗浄されている逆浸透膜モジュールを備える膜ユニットは、逆浸透処理のために供給される被処理水の流量が、流量調整バルブＶ１の開度によって調整される。一方、透過水の流量は、流量調整バルブＶ２の開度によって調整される。動力回収装置１８への被処理水の流入量は、流量調整バルブＶ３の開度によって調整することができる。
【００９９】
以上の逆浸透処理システム（変形例に係る逆浸透処理装置）Ｓ４や、これを使用した逆浸透処理方法によると、複数並列に接続された膜ユニットの系列に対し、共通の供給ポンプ１１により被処理水を供給し、被処理水の一部を共通の動力回収装置１８に分流し、濃縮水の残圧を利用して加圧した後、共通のブースターポンプ１９により昇圧して逆浸透させることができる。そのため、設備コストをより削減することができるし、膜ユニットの系列毎に高圧ポンプ１２やブースターポンプ１９の出力を調整する必要が無い。逆浸透処理システムＳ４では、一部の系列を構成するバンク（１０）に配置された逆浸透膜モジュールを洗浄するとき、バンク２０に対する供給経路（迂回管Ｌ１６）に設けた流量調整バルブＶ１の開度と、バンク２０の透過水流路（第２透過水配管Ｌ２３）に設けた流量調整バルブＶ２を調整することにより、所定の運転範囲内から大きく逸脱することなく、逆浸透処理を続けることができる。
【０１００】
以上、本発明について説明したが、本発明は、前記の実施形態や変形例に限定されるものではなく、本発明の趣旨を逸脱しない範囲において種々の変更が可能である。例えば、本発明は、必ずしも前記の実施形態や変形例が備える全ての構成を備えるものに限定されない。実施形態や変形例の構成の一部を他の構成に置き換えたり、実施形態や変形例の構成の一部を他の形態に追加したり、実施形態や変形例の構成の一部を省略したりすることができる。
【０１０１】
例えば、前記の逆浸透処理装置１，２，３の構成は、前記の変形例に係る逆浸透処理システムＳ１，Ｓ２，Ｓ３，Ｓ４のいずれに適用することも可能である。また、前記のバンク（１０，２０）は、第１バンク１０と第２バンク２０の２段の構成とされているが、２段以上の構成であってもよい。２段以上のバンクを直列に備えるとき、迂回管や薬洗用配管は、１以上の任意の段に設けてよい。
【０１０２】
また、前記の逆浸透処理システムＳ１，Ｓ２，Ｓ３，Ｓ４は、３系列に並列化されているが、２以上の任意の系列に並列化させてよい。逆浸透処理システムＳ１において、供給ポンプ１１が膜ユニットに対応して複数並列に備えられてもよいし、逆浸透処理システムＳ２において、供給ポンプ１１や高圧ポンプ１２が膜ユニットに対応して複数並列に備えられてもよいし、逆浸透処理システムＳ３において、供給ポンプ１１や高圧ポンプ１２やブースターポンプ１９が膜ユニットに対応して複数並列に備えられてもよいし、逆浸透処理システムＳ４において、供給ポンプ１１や高圧ポンプ１２やブースターポンプ１９や動力回収装置１８が膜ユニットに対応して複数並列に備えられてもよい。
【０１０３】
また、前記の逆浸透処理装置１，２，３や、逆浸透処理システムＳ１，Ｓ２，Ｓ３，Ｓ４に備えられる配管、バルブ、ポンプ等の機器は、図示した設置位置や接続状態に制限されるものではなく、技術的意義を損なわない限り、任意の設置位置や接続状態にすることが可能である。
【符号の説明】
【０１０４】
１，２，３  逆浸透処理装置
５  圧力容器
５ａ  導入ポート
５ｂ  導出ポート
６  逆浸透膜エレメント
６ａ  膜積層体
７  逆浸透膜
８  集水配管
８ａ  透孔
９  スペーサ
１０  第１バンク
１１  供給ポンプ（第１ポンプ）
１２  高圧ポンプ（第２ポンプ）
１８  動力回収装置
１９  ブースターポンプ（第３ポンプ）
２０  第２バンク
３１０  薬洗水タンク
３２０  薬洗用ポンプ
３３０  フィルタ
Ｄ１，Ｄ２，Ｄ１１，Ｄ１２，Ｄ２１，Ｄ２２  液体検出器
Ｌ１  生産水配管
Ｌ１１，Ｌ２１  被処理水配管
Ｌ１２，Ｌ２２  濃縮水配管
Ｌ１３，Ｌ２３  透過水配管
Ｌ１４  第１合流管
Ｌ１５  第１分流管
Ｌ１６，Ｌ２６  迂回管
Ｌ１８，Ｌ２８  給水管
Ｌ１９，Ｌ２９  排水管
Ｌ２４  第２合流管
Ｌ２５  第２分流管
Ｌ５１，Ｌ５２，Ｌ５４，Ｌ５５  薬洗用配管
Ｓ１，Ｓ２，Ｓ３，Ｓ４  逆浸透処理システム
Ｕ  薬洗装置
Ｖ１，Ｖ２，Ｖ３  流量調整バルブ
Ｖ１１，Ｖ２１  被処理水配管バルブ
Ｖ１２，Ｖ２２  濃縮水配管バルブ
Ｖ１３  流量調整バルブ
Ｖ１４  第１透過水配管バルブ
Ｖ１５  第１分流管バルブ
Ｖ１６，Ｖ２６  迂回管バルブ
Ｖ１８，Ｖ２８  給水管バルブ
Ｖ１９，Ｖ２９  排水管バルブ
Ｖ２４  第２透過水配管バルブ
Ｖ２５  第２分流管バルブ
Ｖ５１，Ｖ５２，Ｖ５４，Ｖ５５  薬洗用配管バルブ
【図１】
2018171563.tif 000004
【図２】
2018171563.tif 000005
【図３】
2018171563.tif 000006
【図４Ａ】
2018171563.tif 000007
【図４Ｂ】
2018171563.tif 000008
【図５】
2018171563.tif 000009
【図６】
2018171563.tif 000010
【図７】
2018171563.tif 000011
【図８】
2018171563.tif 000012
【図９】
2018171563.tif 000013
【図１０】
2018171563.tif 000014